(57)【要約】【課題】本発明は開放時や設置時に揮散薬剤に手が触れたりすることなく、安全に使用することができるとともに、揮散効果を損なうことなく、かつ美観を向上させることができる揮散器を得るにある。【解決手段】消臭剤、芳香剤、防虫剤等の揮散薬剤が塗布あるいは保持された積層ハニカム状の揮散体と、この揮散体の両端部に固定された支持体と、この支持体に両端部が固定された前記揮散体の少なくとも一部の外周部を覆う積層ハニカム状のカバー体とで揮散器を構成している。【選択図】  図１
2004201948.tif 000002
【特許請求の範囲】
【請求項１】
消臭剤、芳香剤、防虫剤等の揮散薬剤が塗布あるいは保持された積層ハニカム状の揮散体と、この揮散体の両端部に固定された支持体と、この支持体に両端部あるいは前記揮散体の両端部寄りの部位に固定された前記揮散体の少なくとも一部の外周部を覆う積層ハニカム状のカバー体とからなることを特徴とする揮散器。
【請求項２】
消臭剤、芳香剤、防虫剤等の揮散薬剤が塗布あるいは保持された積層ハニカム状の揮散体と、この揮散体の一端部が収納容器本体内に固定され、他端部が蓋体に固定され、該蓋体を開放すると該揮散体が自動的に開放状態にできる収納容器と、この収納容器内に収納される一端部が、前記収納容器本体内に固定され、他端部が前記蓋体に固定される、前記揮散体の上部あるいは上部と両側部を覆う積層ハニカム状のカバー体とからなることを特徴とする揮散器。
【請求項３】
消臭剤、芳香剤、防虫剤等の揮散薬剤が塗布あるいは保持された積層ハニカム形状の揮散体と、この揮散体の両端部にそれぞれ固定された一対の支持体と、この支持体に両端部が固定された、前記揮散体の少なくとも一部の外周部を覆う積層ハニカム状のカバー体と、前記上部の支持体に取付けられた吊り下げ具とからなることを特徴とする揮散器。
【請求項４】
揮散体とカバー体の積層ハニカム状は同方向であることを特徴とする請求項１、２、３いずれかに記載の揮散器。
【請求項５】
揮散体とカバー体の積層ハニカム状は異なる方向であることを特徴とする請求項１、２、３いずれかに記載の揮散器。
【発明の詳細な説明】
【０００１】
【発明の属する技術分野】
本発明は消臭剤、芳香剤、防虫剤等の揮散薬剤を揮散させることができる揮散器に関する。
【０００２】
【従来の技術】
従来、芳香剤、消臭剤等の薬剤を積層ハニカム状の揮散体に保持された揮散体が提案されている。また、両端部が支持板に固定された積層ハニカム状の揮散体に常温揮散性の殺虫性化合物が保持された防虫剤が提案されている。
【０００３】
［特許文献］  特開平９−３０８４２１号公報
【０００４】
【発明が解決しようとする課題】
従来の積層ハニカム状の揮散体では容器に収容されておらず、単に開放状態へ移行させることができるのみなので、芳香剤、消臭剤等の薬剤に触れてしまうおそれがあった。
また、防虫剤は揮散体を開放状態にする場合に、両端部の支持板を持って開放しなければならず、作業しづらいとともに、該作業時に殺虫性化合物が保持された揮散体に直接指先が触れやすく、指先に刺激を与えたり、皮膚刺激性が低い薬剤を使用しても指先を汚したりという欠点があった。
【０００５】
本発明は以上のような従来の欠点に鑑み、開放時や設置時に揮散薬剤に手が触れたりすることなく、安全に使用することができるとともに、揮散効果を損なうことなく、かつ美観を向上させることができる揮散器を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００７】
【課題を解決するための手段】
上記目的を達成するために、本発明は消臭剤、芳香剤、防虫剤等の揮散薬剤が塗布あるいは保持された積層ハニカム状の揮散体と、この揮散体の両端部に固定された支持体と、この支持体に両端部が固定された前記揮散体の少なくともる一部の外周部を覆う積層ハニカム状のカバー体とで揮散器を構成している。
【０００８】
【発明の実施の形態】
以下、図面に示す実施の形態により、本発明を詳細に説明する。
【０００９】
図１ないし図５に示す本発明の第１の実施の形態において、１は消臭剤、芳香剤、防虫剤等を常温揮散させることができる本発明の揮散器で、この揮散器１は消臭剤、芳香剤、防虫剤等のいずれかの常温揮散薬剤２が塗布あるいは保持された積層ハニカム状の揮散体３と、この揮散体３の両端部に固定されたほぼ中央部で２つ折りすることができる支持体４と、この支持体４に両端部が固定された前記揮散体３の上部および両側部の外周部を覆う、前記揮散体３の積層ハニカム状と同方向の積層ハニカム状のカバー体５とで構成されている。
【００１０】
なお、積層ハニカム状の揮散体３に保持させる常温揮散薬剤２は噴霧、塗布、含浸、浸漬等によつて行っても良い。
【００１１】
揮散薬剤２としては、常温揮散性または加温揮散性の薬剤が用いられる。
ここで、本発明でいう常温揮散性薬剤とは、最終的に得た揮散器が使用される場所の雰囲気を人為的に加熱しなくても当該揮散器が使用される雰囲気温度下で揮散する薬剤を意味し、加温揮散性薬剤とは、最終的に得た揮散器が使用される場所の雰囲気においては適当な加熱手段により加熱しないと揮散しない薬剤を意味する。
なお、常温の意味は、室内温度の意味合いであって、冷蔵庫あるいは冷凍庫内の雰囲気下で使用される場合には、その冷蔵庫あるいは冷凍庫内の低温であっても揮散する薬剤も含むものである。
目的とする揮散器の用途に応じて、例えば、常温揮散性または加温揮散性の芳香剤、消臭剤、防虫剤、殺虫剤、殺菌剤、鮮度保持材、空気清浄剤等が用いられる。
【００１２】
芳香剤や消臭剤の具体例としては、ベンズアルデヒド、α−ピネン、ゲラニオール、シトロネラール、リナロール、リモネン、メントール酢酸リナリル、アミルシンナミックアルデヒド、アンスラニン酸メチル、イソオイゲノール、カプロン酸アリル、酢酸イソブチル、酢酸ベンジル、サリチル酸イソアミル、シトラール、デシルアルデヒド、ヒドロキシシトロネラール、酢酸イソアミル等を成分とするものや、芳香消臭効果のある植物精油、例えば、ビターアーモンド油、ヒノキ油、ナツメグ油、ゼラニウム油、ラベンダー油、ライム油、ペパーミント油、ベチパー油、スウィートオレンジ油、タイム油等が挙げられる。
【００１３】
防虫剤や殺虫剤の具体例としては、α−ピネン、オイゲノール、ツヨン、チモール、ヒノキチオール、シンナミックアルデヒド等を成分とするものや、防虫効果または殺虫効果のある植物精油、例えば、ナツメグ油、チョウジ油、セージ油、タイム油、ラベンダー油、バジル油、ヒノキ油等が挙げられる。
【００１４】
防虫効果または殺虫効果のある合成薬剤としては、ピレスロイド化合物、カーバメート化合物、有機リン系化合物、ＤＥＥＴ（Ｎ，Ｎ−ジエチルｍ−トルアミド）等の種種の薬剤が用いられる。
【００１５】
ピレスロイド化合物としては、アレスリン（ｄｌ−３−アリル−２−メチル−４−オキソ−２−シクロペンテニル  ｄｌ−シス／トランス−クリサンテマ−ト）、ピナミンフォルテ（ｄｌ−３−アリル−２−メチル−４−オキソ−２−シクロペンテニル  ｄ−シス／トランス−クリサンテマ−ト）、エキスリン（ｄ−３−アリル−２−メチル−４−オキソ−２−シクロペンテニル  ｄ−トランス−クリサンテマ−ト）、レスメトリン（（５−ベンジル−３−フリル）メチル  ｄ−シス／トランス−クリサンテマ−ト）、エトック（（＋）−２−メチル−４−オキソ−３−（２−プロピニル）−２−シクロペンテニル（＋）−シス／トランス−クリサンテマ−ト）、フタルスリン（（１，３，４，５，６，７−ヘキサヒドロ−１，３−ジオキソ−２−イソインドリル）メチル−ｄｌ−シス／トランス−クリサンテマ−ト）、ネオピナミンフォルテ（１，３，４，５，６，７−ヘキサヒドロ−１つ３−ジオキソ−２−イソインドリル）メチル−ｄ−シス／トランス−クリサンテマ−ト）、フエノトリン（３−フエノキシペンジル−ｄ−シス／トランス−クリサンテマ−ト、ペルメトリン（３−フエノキシペンジル−ｄｌ−シス／トランス−３−（２，２−ジクロロビニル）−２，２−ジメチル−１−シクロプロパンカルボオキシラ−ト）、エンペントリン（１−エチニル−２−メチル−２−ペンテニル  ｄｌ−シス／トランス−クリサンテマ−ト等が用いられる。
【００１６】
カーバメート化合物としては具体的には、フエノブカーブ、カルバリル、キシリルカーブ、エチオフエンカーブ、メトルカーブ、プロメカーブ、プロポキサー等が用いられる。
【００１７】
有機リン化合物としては具体的には、クロルピリホス、シアノホス、ダイアジノン、ジクロルボス、フエニトロチオン、フエンチオン、マラチオン、ピリミホスメチル、プロチオホス、サリチオン、テトラクロルビンホス、トリクロルホン、プロモホス、プロペタンホス等が用いられる。
【００１８】
殺菌剤としては、次亜塩素ナトリウム、オルトフエニルフエノール、塩化ベンザルコニウム、ナフテン酸亜鉛、アルコール、アリルイソチオシアネート、チモール等が用いられる。
【００１９】
鮮度保存剤としては、イソプロピリジンーアミノオキシ酢酸−２−メトキシ−２−オキソエチルエステル、チオ硫酸銀またはチオスルファト銀錯塩、アリルイソチアシアネート、シスプロペニルホスホン酸等が用いられる。
【００２０】
前記積層ハニカム状の揮散体３の製造方法は、特に制限はなく、好ましくは、紙状材等に等間隔で筋状に接着剤を塗布して紙状材等を積層し、その積層した紙状材等に先ほどと半ピツチずらして等間隔で筋状に接着剤を塗布して次の紙状材等を積層し、を繰り返し、任意の厚みの積層ハニカム状物を得る工程と、揮散性薬剤を前記積層ハニカム状物に含浸、浸漬等により保持させる工程と、前記積層ハニカム状物を任意の形状に型抜きにより切断する工程とで製造される。
型抜きにより切断すると、自由に形状を設計することができ、より装飾的な揮散体を製造することができる。
また、カバー体５の製造方法は、前記積層ハニカム状の揮散体３の製造方法の積層ハニカム状物を得る工程と、型抜きにより切断する工程とで製造される。
【００２１】
前記揮散体３とカバー体５とは別々に製造したものを使用しても良く、あるいは長方形状のハニカム状に形成されたものを、図５に示すようにコ字状切断部６で切断して、外周部のコ字状部分をカバー体５に使用し、長方形状部分を揮散体３として使用しても良い。
【００２２】
上記構成の揮散器１は支持体４を折りたたんだ状態で、図３に示すように密封袋７に収納されて流通させる。
使用時には密封袋７より取り出し、支持体４を開放させることにより、カバー体５および揮散体３は支持体４の折り曲げ部４ａを中心に、半円弧形状に開放する。
この状態では常温揮散薬剤２が塗布あるいは保持された揮散体３の上部および両側部は、ハニカム状のカバー体５で覆われた状態となっているため、揮散体３の常温揮散薬剤２に直接手で触れるのを確実に防止することができる。
【００２３】
【発明の異なる実施の形態】
次に、図６ないし図２３に示す本発明の異なる実施の形態につき説明する。なお、これらの本発明の異なる実施の形態の説明に当って、前記本発明の第１の実施の形態と同一構成部分には同一符号を付して重複する説明を省略する。
【００２４】
図６ないし図８に示す本発明の第２の実施の形態において、前記本発明の第１の実施の形態と主に異なる点は、支持体の一方としての浅皿状の収納容器本体８と、この収納容器本体８の開口部８ａを開閉できるように蝶番あるいは薄肉部で形成したヒンジ部材９を介して、該収納容器本体８に取付けられた支持体の他方としての蓋体１０とからなる収納容器１１を用い、該収納容器１１の収納容器本体８内に揮散体３およびカバー体５の一端部を固定し、他端部を蓋体１０の内壁面に固定した点で、このように構成した揮散器１Ａにしても、前記本発明の第１の実施の形態と同様な作用効果が得られる。
なお、積層ハニカム状の揮散体３の両端部は接着剤等で前記収納容器１１の容器本体８内や蓋体１０の内壁面に固定する以外に係止具や支持具を用いて着脱可能に取付けても良い。
また、本発明の実施の形態では収納容器１１の収納容器本体８内に揮散体３およびカバー体５の一端部を固定し、他端部を蓋体１０の内壁面に固定したものに付いて説明したが、本発明はこれに限らずカバー体５の両端部を揮散体３の両端部あるいは両端部よりの部位に取付けても良い。
【００２５】
図９ないし図１１に示す本発明の第３の実施の形態において、前記本発明の第２の実施の形態と主に異なる点は、揮散体３の外周部分だけを覆う積層ハニカム状のカバー体５Ａを用いた点で、このようなカバー体５Ａを用いて構成した揮散器１Ｂにしても、前記本発明の第２の実施の形態と同様な作用効果が得られるとともに、外周部から揮散体３に触れるのを確実に阻止することができる。
【００２６】
図１２ないし図１４に示す本発明の第４の実施の形態において、前記本発明の第２の実施の形態と主に異なる点は、揮散体３の両側面だけを覆う積層ハニカム状のカバー体５Ｂ、５Ｂを用いた点で、このようなカバー体５Ｂ、５Ｂを用いて構成した揮散器１Ｃにしても、前記本発明の第２の実施の形態と同様な作用効果が得られるとともに、揮散体３の両側面部位から揮散体３に触れるのを阻止することができる。
【００２７】
図１５および図１６に示す本発明の第５の実施の形態において、前記本発明の第２の実施の形態と主に異なる点は、揮散体３の積層ハニカム状と異なる方向の積層ハニカム状のカバー体５Ｃを用いた点で、このように構成した揮散器１Ｄにしても、前記本発明の第２の実施の形態と同様な作用効果が得られる。
なお、本発明の実施の形態では揮散体３とカバー体５Ｃの積層ハニカム状を図示では逆形状にしてもよい。
【００２８】
図１７ないし図１９に示す本発明の第６の実施の形態において、前記本発明の第１の実施の形態と主に異なる点は、板状の一対の支持体４Ａ、４Ａを用いるとともに、上部の支持体４Ａに吊り下げ具１２を取付けた点で、このように構成した吊り下げ状態で使用することができる揮散器１Ｅにしても、前記本発明の第１の実施の形態と同様な作用効果が得られる。
【００２９】
図２０および図２１に示す本発明の第７の実施の形態において、前記本発明の第６の実施の形態と主に異なる点は、四角枠状の積層ハニカム状のカバー体５Ｄを用いた点で、このように形成されたカバー体５Ｄを用いることにより、揮散体３の全外周部をカバー体５Ｄを覆うことができる、揮散器１Ｆにすることができる。
【００３０】
図２２および図２３に示す本発明の第８の実施の形態において、前記本発明の第７の実施の形態と主に異なる点は、円形状の揮散体３Ａ、円筒形状のカバー体５Ｅ、円板形状の一対の支持体４Ｂ、４Ｂを用いた点で、このような部品を用いて構成した揮散器１Ｇは使用状態では円柱状に開放して使用することができる。
【００３１】
なお、前記本発明の１〜５の実施の形態では、揮散体やカバー体をほぼ１８０゜弧状に回動させるものについて説明したが、本発明はこれに限らず、２７０゜や３６０゜弧状に回動させ、支持具で支持させて使用できるようにしてもよい。また、前記本発明の各実施の形態では常温揮散薬剤２を用いるものに付いて説明したが、本発明はこれに限らず、加温揮散性薬剤を用いても良い。この加温揮散性薬剤を用いる場合には、適当な加熱手段を組み合わせれば良く、例えば、使い捨てカイロのような発熱体を容器本体に取付けても良い。
さらに、揮散した薬剤が室内に拡散するように適当な拡散手段を組み合わせても良い。例えば、扇風機のようなフアン式拡散手段を取付けても良い。
【００３２】
【発明の効果】
以上の説明から明らかなように、本発明にあっては次に列挙する効果が得られる。
【００３３】
（１）消臭剤、芳香剤、防虫剤等の揮散薬剤が塗布あるいは保持された積層ハニカム状の揮散体と、この揮散体の両端部に固定された支持体と、この支持体に両端部が固定された前記揮散体の全外周部あるいは一部の外周部を覆う積層ハニカム状のカバー体とで構成されているので、消臭剤、芳香剤、防虫剤等の揮散薬剤が塗布あるいは保持された揮散体に手等が触れるのをカバー体によって効率よく阻止できる。
したがって、安全に取り扱うことができるとともに、安全に使用することができる。
【００３４】
（２）前記（１）によって、積層ハニカム状の揮散体とカバー体の二重構造になるので、美観の向上を図ることができるとともに、揮散体とカバー体の色を変えることにより、より美観の向上を図ることができる。
【００３５】
（３）前記（１）によって、構造が簡単であるので、容易に実施することができる。
【００３６】
（４）請求項２、３、４、５も前記（１）〜（３）と同様な効果が得られる。
【図面の簡単な説明】
【図１】本発明の第１の実施の形態の使用状態の平面図。
【図２】本発明の第１の実施の形態の使用状態の正面図。
【図３】本発明の第１の実施の形態の不使用状態の正面図。
【図４】図２の４−４線に沿う断面図。
【図５】本発明の第１の実施の形態の揮散体とカバー体の説明図。
【図６】本発明の第２の実施の形態の使用状態の平面図。
【図７】本発明の第２の実施の形態の使用状態の正面図。
【図８】本発明の第２の実施の形態の不使用状態の正面図。
【図９】本発明の第３の実施の形態の使用状態の平面図。
【図１０】本発明の第３の実施の形態の使用状態の正面図。
【図１１】図１０の１１−１１線に沿う断面図。
【図１２】本発明の第４の実施の形態の使用状態の平面図。
【図１３】本発明の第４の実施の形態の使用状態の正面図。
【図１４】図１３の１４−１４線に沿う断面図。
【図１５】本発明の第５の実施の形態の使用状態の平面図。
【図１６】図１５の１６−１６線に沿う断面図。
【図１７】本発明の第６の実施の形態の使用状態の正面図。
【図１８】本発明の第６の実施の形態の使用状態の背面図。
【図１９】本発明の第６の実施の形態の不使用状態の正面図。
【図２０】本発明の第７の実施の形態の使用状態の正面図。
【図２１】図２０の２１−２１線に沿う断面図。
【図２２】本発明の第８の実施の形態の使用状態の平面図。
【図２３】図２２の２３−２３線に沿う断面図。
【符号の説明】
１、１Ａ、１Ｂ、１Ｃ、１Ｄ、１Ｅ、１Ｆ、１Ｇ：揮散器、
２：常温揮散薬剤、      ３、３Ａ：揮散体、
４、４Ａ、４Ｂ：支持体、
５、５Ａ、５Ｂ、５Ｃ、５Ｄ、５Ｅ：カバー体、
６：切断部、            ７：密封袋、
８：収納容器本体、      ９：ヒンジ部材、
１０：蓋体、            １１：収納容器、
１２：吊り下げ具。
【図１】
2004201948.tif 000003
【図２】
2004201948.tif 000004
【図３】
2004201948.tif 000005
【図４】
2004201948.tif 000006
【図５】
2004201948.tif 000007
【図６】
2004201948.tif 000008
【図７】
2004201948.tif 000009
【図８】
2004201948.tif 000010
【図９】
2004201948.tif 000011
【図１０】
2004201948.tif 000012
【図１１】
2004201948.tif 000013
【図１２】
2004201948.tif 000014
【図１３】
2004201948.tif 000015
【図１４】
2004201948.tif 000016
【図１５】
2004201948.tif 000017
【図１６】
2004201948.tif 000018
【図１７】
2004201948.tif 000019
【図１８】
2004201948.tif 000020
【図１９】
2004201948.tif 000021
【図２０】
2004201948.tif 000022
【図２１】
2004201948.tif 000023
【図２２】
2004201948.tif 000024
【図２３】
2004201948.tif 000025